Podtech/llm-jp-corpus-v4-ja_patent huggingface dataset:
(57)【要約】      （修正有）【課題】構造が簡単で、使用や組み立てが容易であり、運搬効果が高く、安全に使用でき且つ信頼性が高く、作業効率が大幅に向上し、作業強度が低下し、また、緩衝バーにより、台車の安定性を改善し、使用寿命を延長でき、さらに、牽引部により、移動が容易である緩衝台車を提供する。【解決手段】緩衝台車は、荷重支持プレート１と、フレーム２と、調整ロッド３とを備える。フレームの両端に調整ロッドが設けられ、調整ロッドの内側にスロット４が形成され、摺動レール５がスロット内に配置され、荷重支持プレートは調整ロッドのスロット内に設置され且つフレームの上端に取り付けられ、調節ロッドの外側に緩衝バー６が配置され、フレームに牽引部７が配置される。【選択図】図１
0003222381.tif 000002
【実用新案登録請求の範囲】
【請求項１】
荷重支持プレートと、フレームと、調整ロッドとを備え、
前記フレームの両端に調整ロッドが設けられ、
前記調整ロッドの内側にスロットが形成され、摺動レールが前記スロット内に配置され、
前記荷重支持プレートは調整ロッドのスロット内に設置され且つ前記フレームの上端に取り付けられ、
前記調節ロッドの外側に緩衝バーが配置され、
前記フレームに牽引部が配置されることを特徴とする緩衝台車。
【請求項２】
前記調整ロッドの底部にホイールが装着されることを特徴とする請求項１記載の緩衝台車。
【請求項３】
前記フレームは調整ロッドに連結して固定されることを特徴とする請求項１記載の緩衝台車。
【請求項４】
前記牽引部は牽引ロッドであることを特徴とする請求項１記載の緩衝台車。
【考案の詳細な説明】
【技術分野】
【０００１】
本考案は、台車に関し、特に緩衝台車に関する。
【背景技術】
【０００２】
社会の継続的な進歩に伴い、台車の使用はますます一般的になり、台車の適用範囲もますます広くなっており、それに対する要求もますます高くなっている。物流業界の急速な発展に伴い、多くの生産加工現場で台車が普及しており、それが人力削減と、労働強度の削減と、輸送を容易にするためのツールとして、労働者に大きな利便性をもたらす。従来の伝統的な台車は、支持フレームを備え、支持フレームは横フレームと左右の縦フレームとを含み、左右の縦フレームの前端にはそれぞれホイールが取り付けられ、その後端は横フレームの左右端にそれぞれ固定され、左右の縦フレームにはそれぞれホルダーが設けられており、両ホルダーの対向する側面には支持台が設けられる。ハンドルは、横フレームまたは二つの縦フレームにそれぞれ取り付けられことができ、後部ホイールは、左右の縦フレームの後端、または横フレームに取り付けることができ、または支持脚を介してハンドルに取り付けることができる。これは実際のニーズに合わせてカスタマイズできる。労働者はこのような台車を往復に運ぶだけで物品を運搬することができるが、物品を支持台に置くときや支持台から降ろすときには、物品が重く共に作業する人が増えるため非常に面倒であり、また、運搬の過程で労働者を負傷させ易く、物品にも大きなダメージを与える可能性があり、不便で危険である。
【０００３】
従って、上記課題を解決するために、本考案は新しい技術的な解決策を提案する。
【考案の概要】
【考案が解決しようとする課題】
【０００４】
本考案は、一種の緩衝台車を提供する。
【課題を解決するための手段】
【０００５】
本考案が採用する技術的な解決策は：
荷重支持プレートと、フレームと、調整ロッドとを備え、前記フレームの両端に調整ロッドが設けられ、前記調整ロッドの内側にスロットが形成され、摺動レールが前記スロット内に配置され、前記荷重支持プレートは調整ロッドのスロット内に設置され且つ前記フレームの上端に取り付けられ、前記調節ロッドの外側に緩衝バーが配置され、前記フレームに牽引部が配置される緩衝台車とする。
【０００６】
また、前記調整ロッドの底部にホイールが装着される。
【０００７】
また、前記フレームは調整ロッドに連結して固定される。
【０００８】
また、前記牽引部は牽引ロッドである。
【考案の効果】
【０００９】
本考案の有益な効果は、構造が簡単で、使用や組み立てが容易であり、運搬効果が高く、安全に使用でき且つ信頼性が高く、作業効率が大幅に向上し、作業強度が低下し、また、緩衝バーを設置することにより、台車の安定性を改善し、使用寿命を延長することができ、さらに、牽引部を設置することにより、台車の移動が容易である。
【図面の簡単な説明】
【００１０】
【図１】本考案の構造の概略図である。
【考案を実施するための形態】
【００１１】
本考案のより良い理解のために、以下、実施形態と図面に基づいて本考案をさらに詳細に説明するが、該実施形態は本考案を説明するためのものであり、本考案の保護範囲を限定するものではない。
【００１２】
図1に示すのは、荷重支持プレート１と、フレーム２と、調整ロッド３とを備え、フレーム２の両端に調整ロッド３が設けられ、調整ロッド３の内側にスロット４が形成され、摺動レール５がスロット４内に配置され、荷重支持プレート１は調整ロッド３のスロット４内に設置され且つフレーム２の上端に取り付けられ、調節ロッド３の外側に緩衝バー６が配置され、フレーム２に牽引ロッド７が配置され、調整ロッド３の底部にホイール８が装着され、フレーム２は調整ロッド３に連結して固定される緩衝台車である。
【００１３】
本考案の有益な効果は、構造が簡単で、使用や組み立てが容易であり、運搬効果が高く、安全に使用でき且つ信頼性が高く、作業効率が大幅に向上し、作業強度が低下し、また、緩衝バーを設置することにより、台車の安定性を改善し、使用寿命を延長することができ、さらに、牽引部を設置することにより、台車の移動が容易である。
【００１４】
以上は単に本考案の好ましい実施形態のみであり、本考案を任意の他の形式で限定するものではなく、本考案の技術的な本質に基づいて任意の変更および等効変換は、依然として本考案の特許保護範囲に含まれる。
【符号の説明】
【００１５】
１  荷重支持プレート
２  フレーム
３  調整ロッド
４  スロット
５  摺動レール
６  緩衝バー
７  牽引ロッド
８  ホイール 
【図１】
0003222381.tif 000003
(57)【要約】      （修正有）【課題】瓶と酒のつまみが一体化された製品を提供する。【解決手段】アルコールを含有しない飲料、ビール、またはビールを除くアルコール飲料が瓶詰めされた瓶３の注ぎ口が細まった部分に酒のつまみが収蔵された円形の小筒５を装着させる。小筒５の下部の先端部分を伸縮性のある材質に形成することで、瓶３の胴径が大きい場合の装置を容易にした。【選択図】図２
0003222386.tif 000002
【実用新案登録請求の範囲】
【請求項１】
アルコールを含有しない飲料及びビールと、ビールを除くアルコール飲料が瓶詰めされたその瓶の上部に「酒のつまみ」を収蔵した容器を装着させることにより、瓶と「酒のつまみ」が一体化された製品になることを特徴とする。
【請求項２】
アルコールを含有しない飲料及びビールと、ビールを除くアルコール飲料が缶詰めされたその缶の底部に「酒のつまみ」を収蔵した容器を装着されることにより、缶と「酒のつまみ」が一体化されたされた製品になることを特徴とする。
【考案の詳細な説明】
【技術分野】
【０００１】酒類などの瓶や缶に付帯させる「酒のつまみ」の容器に関する。
【考案の概要】
【０００２】アルコールを含有しない飲料及びビールとビールを除くアルコール飲料（以下酒類など）の瓶の注ぎ口、また、缶の容器にあっては、その底部に保存可能な「酒のつまみ」を収蔵した容器を装着させることを特徴とした食品の容器。
【考案が解決しようとする課題】
【０００３】緊急な酒席、解放された野外活動、自由な会合、独酌などの際に、手ごろの「酒のつまみ」を調達する時間と調達内容の迷いなどで、腐心することが多いこと。
【課題を解決するための手段】
【０００４】本考案は、充填された酒類などの瓶や缶の容器に、あらかじめ、保存可能な「酒のつまみ」を装着しておくことにより、「酒のつまみ」の調達に関わる腐心等を解消することができる。
【考案の効果】
【０００５】充填された酒類などの瓶や缶の容器に「酒のつまみ」が付帯された新たな商品が開発されたことにより、緊急な酒席、解放された野外活動、自由な会合、独酌などの際に、簡便で要を得た酒の場の楽しさを享受することができる。また「酒のつまみ」の容器を瓶や缶から外すと、平面に安定して置くことが出来るので、皿やテーブルがなくとも酒の場を楽しむことができるので、野外活動時等にも適したものとなっている。
【図面の簡単な説明】
【０００６】
【図１】瓶の上部に付帯した容器の斜視図
【図２】瓶の上部に付帯した容器の蓋を開けた斜視図と透明部を示した参考図
【図３】缶の底部に付帯した容器の斜視図
【図４】缶の底部に付帯した容器の使用状態を示す参考斜視図と透明部を示した参考図
【考案を実施するための形態】
【０００７】  酒類などの瓶がケースに収められた際に、瓶上部の注ぎ口の細まった部分の周辺に生ずる空間を利用して、保存可能な「酒のつまみ」４を収蔵する縦型の円形の小筒５を立体的に纏めた円筒状の容器１，２を瓶の注ぎ口に装着することにより、酒類などの瓶３に「酒のつまみ」４を付帯させた一体型の製品が生成される。
【実施例】
【０００８】  酒類などの瓶詰めされた状態のもの３、また酒類等の缶詰めされ状態のもの６に、本考案の「酒のつまみ」の容器を装着する実験を試みたが、瓶のメーカーによって各々胴径と長さが一定でないので、本考案は、本容器の量産化の視点から、本容器の一部に改良を加えた上で、本容器の微調整で装着できる範囲の瓶を実施対象とすることにした。その実施にあたっては、瓶の胴径が大きい場合には、本容器下部の先端部を柔軟で伸縮性のある材質にして微調整可能とし、また、瓶の胴径が小さい場合には、本容器下部の先端部の内側に微調整用の帯状のリングを用いて対応できるようにした。酒類などの缶の胴径については国内で統一されているのでサイズの調整は不用であった。しかし、缶用の「酒のつまみ」の容器の長さは、ビールなどの缶では、長缶（１６５ｍｍ）、短缶（１２０ｍｍ）であるので、その長さの差４５ｍｍに合わせて缶用の「酒のつまみ」の容器の長さを決め、長缶用の梱包で出荷できるようにした。
【産業上の利用可能性】
【０００９】  酒類など瓶詰めや缶詰めされた状態のものに「酒のつまみ」を付帯させたことにより、付加価値の高い商品となり、従来の酒類などの瓶や缶のみの販売に比べて、「酒のつまみ」の調達の手間を省くことができる商品なので、軽易に酒の場づくりが可能となり、広範な利用が見込まれて酒類の販売促進に寄与することができる。さらに「酒のつまみ」の原材料を各地域ごとの特徴を生かしたものにすることで、地域の名物が誕生し、国内外に地域の魅力を発信することができる。
【符号の説明】
【００１０】１、瓶用の「酒のつまみ」の容器の蓋
２、瓶用の「酒のつまみ」の容器
３、酒類などの瓶
４、保存可能な「酒のつまみ」
５、「酒のつまみ」を収蔵する縦型の円形の小筒
６、酒類などの缶
７、缶用の「酒のつまみ」の容器
８、保存可能な「酒のつまみ」
９、「酒のつまみ」を収蔵する縦型の円形の小筒
【図１】
0003222386.tif 000003
【図２】
0003222386.tif 000004
【図３】
0003222386.tif 000005
【図４】
0003222386.tif 000006
【手続補正書】
【提出日】平成31年2月5日(2019.2.5)
【手続補正１】
【補正対象書類名】実用新案登録請求の範囲
【補正対象項目名】全文
【補正方法】変更
【補正の内容】
【実用新案登録請求の範囲】
【請求項１】
アルコールを含有しない飲料、ビール、またはビールを除くアルコール飲料が瓶詰めされた瓶と酒のつまみが一体化されたことを特徴とする製品。
【請求項２】
瓶の胴径が大きい場合には、本容器下部の先端部分を伸縮性のある材質にすることで装着を容易にする。また、瓶の胴径が小さい場合には、本容器の下部の先端部の内側に帯状のリングを用いて装着を容易にしたことを特徴とする製品。
【手続補正書】
【提出日】平成31年4月27日(2019.4.27)
【手続補正１】
【補正対象書類名】実用新案登録請求の範囲
【補正対象項目名】全文
【補正方法】変更
【補正の内容】
【実用新案登録請求の範囲】
【請求項１】
アルコールを含有しない飲料、ビール、またはビールを除くアルコール飲料が瓶詰めされた瓶と酒のつまみが一体化されたことを特徴とする製品。
【請求項２】
下部の先端部分を伸縮性のある材質に形成することで、前記瓶の胴径が大きい場合の装置を容易にしたことを特徴とする、請求項１に記載の製品。
【請求項３】
下部の先端部の内側に帯状のリングを設け、前記瓶の胴径が小さい場合の装着を容易にしたことを特徴とする、請求項１に記載の製品。
(57)【要約】      （修正有）【課題】運転の際、かかとの位置をブレーキペダルの前にくるよう矯正することにより、アクセルペダルとブレーキペダルの踏み間違えを抑止する、かかと位置矯正式アクセル・ブレーキ誤操作防止器具を提供する。【解決手段】ほぼ楕円形の器の左側にかかとを収める穴１を、右側に傾斜２を設け、底面に滑り止めの細かい凹凸を設けた。【選択図】図１
0003222276.tif 000002
【実用新案登録請求の範囲】
【請求項１】
ほぼ楕円形の器の左側にかかとを収める穴（１）を、右側に傾斜（２）を設け、底面に滑り止めの細かい凹凸を設けたかかと位置矯正式アクセル・ブレーキ誤操作防止器具。
【考案の詳細な説明】
【技術分野】
【０００１】この発明は、車中運転席の足元に配置して、かかとの位置を矯正することによりアクセルとブレーキの踏み間違いの恐れを低減するかかと位置矯正式アクセル・ブレーキ誤操作防止器具に関するものである。
【背景技術】
【０００２】従来、アクセルとブレーキの踏み間違え防止は、油圧式や電気式などにより、ブレーキと誤ってアクセルを踏んだ時の対策を主眼としていた。
【先行技術文献】
【特許文献】
【０００３】
【特許文献１】
【考案の概要】
【考案が解決しようとする課題】
【０００４】これは次のような欠点があった。
（イ）仕組みが複雑になり、安価に装着することができない。
（ロ）アクセルを踏み間違えた後の対策のため、少なからずアクセルを踏み込んだ影響が生じる。
（ハ）車に後から装着することが難しい。
（ニ）車種によっては装着できない事もあり得る。
本発明は、以上のような欠点をなくすためになされたものである。
【課題を解決するための手段】
【０００５】かかとの位置が必ずブレーキの前に来るよう、矯正する形状の器具である。
具体的には、器具左側にかかとを収める穴（１）があり、器具右側は盛り上がって穴に向けて傾斜（２）している。使用者は、かかとを収める穴（１）がブレーキの前に来るように調整して、本器具を運転席の足元に置く。アクセルの前にかかとを置いても、傾斜（２）により、かかとの位置は穴（１）に移動する。本発明は、以上の構成によりなるかかと位置矯正式アクセル・ブレーキ誤操作防止器具である。
【考案の効果】
【０００６】（イ）かかとの位置が常にブレーキの前に来るため、とっさに踏み込むのは必ずブレーキになり、アクセルを踏み間違える危険を低減できる。
（ロ）アクセルを踏むときは、かかとの位置がブレーキ前に固定されるため、ななめに足を傾ける必要がある。このため、アクセルは意識しなければ踏めない。
（ハ）どの車種にも後からかんたんに取り付けることができる。
（ニ）仕組みが単純なため、安価に提供できる。
（ホ）そもそもアクセルを踏み間違える危険性を減らすものであり、特に対象となり得る高齢者に理解しやすい。
【図面の簡単な説明】
【０００７】
【図１】本発明の斜視図である。
【図２】本発明の断面図である。
【図３】本発明の底面図である。
【考案を実施するための形態】
【０００８】以下、本発明を実施するための形態について説明する。
大きな楕円形の器を基本の形とし、その底が左側に偏っている。そしてその底にかかとを収める穴（１）が空いている。この器は右側に行くほど傾斜（２）がきつくなる構造となっている。また、この器の底面には細かい凹凸（３）を設けて、すべりにくくしている。
本発明は、以上のような構造である。
これを使用するときは、かかとを収める穴（１）をブレーキペダルの前に、傾斜がきつい器右側部分をアクセルペダルの前にくるよう配置する。こうすることで、運転者が右足のかかとを運転席下部に置いた時、自然とかかとを収める穴（１）にすべり落ち、結果、足はブレーキペダルの前に固定される。これにより、とっさにペダルを踏むと、まっすぐな位置にあるブレーキペダルを踏むことになり、アクセルペダルを誤操作する危険性を低減する。
【符号の説明】
【０００９】１  かかとを収める穴
２  傾斜
３  滑り止めの細かい凹凸
【図１】
0003222276.tif 000003
【図２】
0003222276.tif 000004
【図３】
0003222276.tif 000005
(57)【要約】      （修正有）【課題】抗菌・抗ウィルス性作用と消臭効果を発揮し、快適なクッション性と表面のなめらかさから寝心地を良好にしながら、高反発性を付与して褥瘡を抑制し、微生物や小動物の繁殖と侵入を防ぎ、ほこりの発生もない衛生的なマットや枕などの寝具を提供する。【解決手段】金属微粒子や金属イオンを付着または練り込んだフィルム２を網状構造体１の表面に被覆することによって、衛生的で抗菌効果と消臭効果を長期間もたせることができる。また、網状構造体１の素材やその上に載せるゴム３などに金属微粒子や金属イオンを付着または練り込むことによって、一層効果を高めることができる。【選択図】図２
0003222204.tif 000002
【実用新案登録請求の範囲】
【請求項１】
網状構造体の表面を殺菌効果のある金属微粒子又は金属イオンを練り込んだフィルムで被覆した積層体である寝具。
【請求項２】
前記網状構造体は、素材であるポリエチレンやポリプロピレン、ポリエステル、ポリスチレンに殺菌効果のある金属微粒子又は金属イオンを付着或いは練り込んだものであることを特徴とする、請求項１に記載の寝具。
【請求項３】
前記網状構造体に、殺菌効果のある金属微粒子又は金属イオンを含んだゴム或いはウレタン又はジェルを積層したことを特徴とする請求項１又は２に記載の寝具。
【考案の詳細な説明】
【技術分野】
【０００１】        本考案は、網状構造体の表面をフィルムで被覆することによって、網状構造体の硬い糸が肌に痛さを与える肌触り感を抑え滑らかにし、抗菌作用や消臭効果をもつ衛生的な寝具に関するものであり、寝具とは、就寝時に使用するマットや枕であり、担架に使用するマット等を含む。
【背景技術】
【０００２】        従来、抗菌成分を溶解した油剤を含侵したり、有機減衰性フィラーなどが含まれていることを特徴とする抗菌性マットが開発されている。
【先行技術文献】
【特許文献】
【０００３】
【特許文献１】特開平１１−０００２５４号公報
【特許文献２】特開２０１３−８１７５６号公報
【考案の概要】
【考案が解決しようとする課題】
【０００４】        マットや枕に多く使用されている網状構造体の硬い糸が、肌に痛さを与え、褥瘡などの原因となる。また網状構造体には多くの空間があり、その空間にゴミや埃の他に小動物（ダニやノミ或いはムカデやネズミなど）が巣喰い、その害が報告されているので、それを解決しようとするものであり、抗菌作用と消臭効果があり、肌触りがよくて衛生的な寝具を提供することを課題とする。
【課題を解決するための手段】
【０００５】        本考案は、網状構造体の表面を殺菌効果のある金属微粒子又は金属イオンを練り込んだフィルムで被覆した積層体である寝具である。【０００６】        本考案は、網状構造体の素材であるポリエチレンやポリプロピレン、ポリエステル、ポリスチレンに殺菌効果のある金属微粒子又は金属イオンを付着或いは練り込むことを特徴とする。【０００７】        本考案は、網状構造体に、殺菌効果のある金属微粒子又は金属イオンを含んだゴム或いはウレタン又はジェルを積層したことを特徴とする。
【考案の効果】
【０００８】        網状構造体の表面を、殺菌効果のある金属微粒子や金属イオンを練り込んだフィルムで被覆した積層体とすることにより、肌触りの良い褥瘡を抑制し、体臭などの嫌な臭いを消す衛生的なマットや枕の寝具を提供することができる。このフィルムの被覆によって網状構造体の空間に物体が入り込むことを阻止するので、問題点を解決することができ、抗菌・抗ウィルス性と消臭効果を持たせた快適なクッション性のある寝具が得られる。【０００９】        網状構造体の素材であるポリスチレン、ポリエチレン、ポリプロピレン、ポリエステルに殺菌効果のある金属微粒子や金属イオンを付着させ或いは練り込むことで、抗菌作用や消臭効果を長期間もたせることができる。【００１０】        網状構造体の上に殺菌効果のある金属微粒子や金属イオンを含んだ弾力性とクッション性を持つゴム或いはウレタン又はジェルを載せることで、肌触り感を向上することができる。
【図面の簡単な説明】
【００１１】
【図１】本考案の網状構造体にフィルムを被覆した寝具を示す図である。
【図２】本考案の網状構造体にゴム或いはウレタン又はジェルを載せフィルムを被覆した図である。
【考案を実施するための形態】
【００１２】        図１に、本考案の実施形態を例示する。
図１は、網状構造体１に、金属微粒子や金属イオンを練り込んだフィルム２を被覆した寝具の図であり、抗菌作用や消臭効果を長期間発揮し、網状構造体をフィルムにより被覆することで、細菌や小動物などの外部からの侵入を阻止することができる。
【００１３】        網状構造体１は、ポリスチレン、ポリエチレン、ポリプロピレン、ポリエステル等からなる樹脂製の糸が網状に絡まった構造であり、その糸の線径は、０．２〜３ｍｍであることが好ましく、より好ましくは０．４〜２ｍｍさらに好ましくは０．６〜１ｍｍである。
【００１４】        網状構造体１の厚みは、１０〜１５０ｍｍであることが好ましく、より好ましくは３０〜１２０ｍｍさらに好ましくは５０〜８０ｍｍである。
【００１５】        網状構造体１の密度は、５〜１００ｋｇ／ｍ３であることが好ましく、より好ましくは１５〜８０ｋｇ／ｍ３さらに好ましくは４５〜５５ｋｇ／ｍ３である。
【００１６】        フィルム２は、ポリウレタンを含んだポリスチレン、ポリエチレン、ポリプロピレン、ポリエステルであり、中でもポリウレタンフィルムが好ましく、厚みは４０μ〜２ｍｍが好ましい。
【００１７】        図２に、本考案の他の実施形態を例示する。
図２は、網状構造体１に、ゴム或いはウレタン又はジェル３を積層し、殺菌効果のある金属微粒子や金属イオンを練り込んだフィルム２を被覆した寝具の図であり、抗菌作用や消臭効果を長期間発揮し、網状構造体をフィルムにより被覆することで、細菌や小動物などの外部からの侵入を阻止し、さらに肌触りを良くすることができる。
【００１８】網状構造体に積層するゴム或いはウレタン又はジェル３の厚さの比率は１：１〜１：９までが好ましく、ゴム或いはウレタン又はジェルの厚さは最低１ｃｍとすることが好ましい。
【００１９】本考案において用いる金属粒子又は金属イオンとしては、殺菌効果を発現するものであれば特に限定されないが、中でも亜鉛が好ましく、２０００〜３００００ｐｐｍであることが好ましく、より好ましくは３７５０〜１００００ｐｐｍ，さらに好ましくは６０００〜７５００ｐｐｍである。
【符号の説明】
【００２０】    １  金属微粒子や金属イオンを練り込んだ網状構造体
２  金属微粒子や金属イオンを練り込んだフィルム
３  金属微粒子や金属イオンを練り込んだゴム或いはウレタン又はジェル
【図１】
0003222204.tif 000003
【図２】
0003222204.tif 000004
(57)【要約】      （修正有）【課題】大規模な設備や施工に際して重機も大量の人員も、特別の場所の確保も要らず、小型ながらも、気象・季節に左右されず確実に発電し、低コストで運営できる列車風利用の風力発電機を提供する。【解決手段】回転軸１の一端側即ち風向側に風車羽根２、他端寄りに発電モーターを内設された発電部４、その中間に増速機５を設けてあり、発電部４から配線された電線６が蓄電室７へつながっている。【選択図】図２
0003222201.tif 000002
【実用新案登録請求の範囲】
【請求項１】
鉄道線路沿いに立ち並ぶ電柱の約２．５ｍ高さに取付けて稼働させる小型発電機であって、回転軸の一端側即ち風向側に風車羽、他端寄りに発電モーターを内設された発電部、その中間に増速機を設けてあり、発電部から配線された電線が蓄電室へつながっていることを特徴とする列車風利用の風力発電機。
【考案の詳細な説明】
【技術分野】
【０００１】  本考案は、列車が通過する度に生じる列車風を発電エネルギーに変える風力発電機に関するものである。
【背景技術】
【０００２】  従来の風力発電は、風の強い場所を見つけて風車を設置していた。
【考案の概要】
【考案が解決しようとする課題】
【０００３】  野山の風の強い場所は、不便なところ、危険なところが多く、設置工事するだけでも多大の苦労があり、また事故も多かった。台風の時は風が強すぎてプロペラ回転数の限界を超え、設備そのものが破壊破損されることも少なくなかった。
【課題を解決するための手段】
【０００４】  鉄道線路沿いに立ち並ぶ電柱の約２．５ｍ高さに取付けて稼働させる小型発電機であって、回転軸の一端側即ち風向側に風車羽、他端寄りに発電モーターを内設された発電部、その中間に増速機を設けてあり、発電部から配線された電線が蓄電室へつながっている。
以上を特徴とする列車風利用の風力発電機である。
【考案の効果】
【０００５】  巨大で超重量体の風車羽根を、強固な基礎台の上に太く高く聳え立つ脚柱の頭頂に取付ける為に動員される重機類や人員や、その施工工事全体に要する時間、コスト、危険性等と比較した時に、はるかに手早く、低コストで、多数の発電機を取りつけることができ、台風等による設備被害も圧倒的小規模に収まり、保守点検、取替作業等も迅速かつ安全に遂行できる。
【図面の簡単な説明】
【０００６】
【図１】  本考案を設置した状態を示すイメージ図
【図２】  本校案を透明にして内部構造を分かりやすく示したイメージ図
【考案を実施するための形態】
【０００７】  鉄道線路沿いに立ち並ぶ電柱の約２．５ｍ高さに取付けて稼働させる小型発電機であって、回転軸（１）の一端側即ち風向側に風車羽（２）、他端寄りに発電モーター（３）を内設された発電部（４）、その中間に増速機（５）を設けてあり、発電部（４）から配線された電線（６）が蓄電室（７）へつながっている。
本考案は、以上の様な構成であり、以下その実施の形態を説明する。
これを設置する場合は、特別に脚柱等を施工する必要はなく、既に線路沿いに立ち並んでいる電柱（Ｄ）の約２ｍ高さの位置に取付ければよい。図１に示される様に、列車（Ｒ）の進行方向に対向的に風車羽（２）を向けて取付ける。大掛かりな重機等は一切無用。一基当たり数名の人員で大した時間を掛けずに設置完了する。保守点検も同様である。発電された電気は、発電部（４）から蓄電室（６）へ送られて貯蓄される。
気象条件が無風の時でも、列車（Ｒ）が通過するたびに着実に発電され、季節にも影響されず、一基当たりは少量であっても、全体として確実な計算通りの発電・蓄電が見込まれる事業となる。
【符合の説明】
１  回転軸，    ２  風車羽根，    ３  発電モーター，    ４  発電部，
５  増速機，    ６  電線，    ７  蓄電室，
Ｄ  電柱，    Ｒ  列車
【図１】
0003222201.tif 000003
【図２】
0003222201.tif 000004
(57)【要約】      （修正有）【課題】ファイル本体外側にくる面を５ｃｍ程度長くし丸めることで、折り目、切れ目等を防ぎコンパクトに持ち運べ、且つ、本体が安価で制作できるファイルの提供。【解決手段】ファイル本体１の右辺２と左辺３を開放し、底辺の溶着部６から内面４を巻き込み外面５を５ｃｍ程度長くすることでずれを無くし、且つ、保持用の面ファスナーを使用することで安定させ、紙に折り目を付けない。【選択図】図１
0003222257.tif 000002
【実用新案登録請求の範囲】
【請求項１】
ファイル本体の左右縦方向を開放することにより丸めることを可能とし、紙を入れて巻き込んだ際、外面にくる右辺と左辺を５ｃｍ程度長くすることを特徴とする丸めるファイル。
【考案の詳細な説明】
【技術分野】
【０００１】  本考案は、ファイルに紙を入れて巻き込むことにより、折目を付けずに収納可能にするファイルに関する。
【背景技術】
【０００２】  一般にファイルは、透明な物から広告を目的とした図柄、美術館においては画家の作品が絵描きこまれ、多様に商品化されている。
【考案の概要】
【０００３】  例えば美術館、コンサート会場において綺麗な写真が載ったパンフレットを手にした際、折目を付けず持ち帰るには、その大きさの鞄が必要となる。エコバック等の袋物を使用しても細かな折傷が付いたり、皺にならないか気を配ることになる。
【０００４】  そこで、実用新案文献１に見られるように、ファイルを巻いて円筒形とし掛止部を備え固定する形状のものが考案されている。しかし、安価なファイルにするには、止部を一体化せず、別々にマジックテープ等が必要とはなるが、丸めて固定した状態で持ち運ぶ為、一体として考えられる。
【先行技術文献】
【実用新案文献】
【０００５】
【実用新案文献１】
実用新案登録第３１９５５９５号
【考案の概要】
【考案が解決しようとする課題】
【０００６】  そこで、ファイルの機能および生産、消費面に有利な形状とすることを課題とする。【０００７】  一般にファイルはＬ字型で閉じられ相対した反Ｌ字型の開放部から紙を出し入れする。閉じられたＬ字型の縦方向の折られた輪になった部を切り開くことによりファイルに紙を入れた状態で巻き込め、コンパクトな収納が可能となる。【０００８】  本考察は、ファイルの縦の長さを同じにして丸めた際に、外側の面が内側の面より短かくなりずれる為、片面を５ｃｍ程度長くし、長くした面を外側にすることにより、問題を解決する。【０００９】  二枚折りになった紙は、紙の輪の方向から丸めることとなる為、底辺の溶着部分を紙の輪の長さとし、上述の様に左右の縦方向を開放し、外側となる片面を５ｃｍ程度長くすることで問題点を解決する。【００１０】  丸めたファイルは筒状になる為、固定された輪状品、調節可能なマジックテープ、又は、結束バンド等を使用することにより状態を保持できることとする。
【考案の効果】
【００１１】  本考案の丸めるファイルから紙を取り出した状態が、紙だけでを巻くより巻癖が緩く、癖が付いた際も、紙だけを逆巻きにするよりも、ファイルごと逆巻きする方が扱いが良い。【００１２】  縦となる片面を長くすることによって、捲れ難さが無くなり、ファイルに設けられている半円形の指かけ部と三角形の裂け止め部は必要としない。【００１３】  縦となる長手の片面の両角を丸くカットすることにより鞄の表面を傷つけたり、取扱いの際に皮膚への怪我も防げ安全な使用となる。【００１４】  鞄に折畳み傘を入れた場合はその傘を巻き込むことにより場所が有効活用できる。
【図面の簡単な説明】
【００１５】
【図１】本考案の丸めるファイルを示す斜視図である。
【図２】丸めるファイルを保持するマジックテープの表と裏の正面図である。
【図３】丸めるファイルを丸めた状態と上部の詳細拡大を示す斜視図である。
【図４】丸めるファイルの変形例を示す斜視図である。
【考案を実施するための形態】
【００１６】  形態について詳しく説明する。本考案による丸めるファイル１は、底辺の溶着部６に例えばＡ４紙９を合わせ両辺２・３が開放されていることにより巻き込め、且つ、ファイル外面５がファイル内面４より５ｃｍ程度長くしていることにより、紙９がはみ出ることなく被い込め折傷を付ける」ことはない。
【００１７】  ファイル外面５を５ｃｍ程度長くすることにより、巻き込んだ際、ファイル内面４と紙９の端のずれ部分補うことが可能となる。
【００１８】  図４のマジックテープ７・８を用いて丸めたファイルを保持するにあたり、始めから輪を作った状態の中に丸めた円筒形ファイルを通し保持した手を緩めることにより輪の大きさに固定されるので容易で便利な手法とする。
【００１９】  マジックテープ以外の止め部であっても輪状であれば円筒形ファイルを保つことは可能とする。
【００２０】  紙９のみを丸めた状態と違ってファイルに挾み巻き込んで取り出す際の丸まり度が緩く扱いが良い。また、ファイルの逆巻きも容易にできるので紙９の戻りが良い。
【００２１】  丸めたファイルが戻ろうとする圧力がマジックテープ７・８で固定され強くしっかりとした状態で持ち運びでき、鞄の中で縦でも横でも収納できるる。
【００２２】  一般に使用される紙９はＢ５、Ａ４、Ｂ４、Ａ３が主である。また、画用紙、包装紙、図面など筒ケースを用いた際、先端が潰れる恐れがあるので丸めるファイルを用いて筒ケースに収納することにより使用時の取り扱いが容易、且つ、紙同士の擦れ又は汚れを防ぐことができる。
【符号の説明】
【００２３】    １    ファイル本体
２    ファイル右辺↑
３    ファイル左辺↑
４    ファイル内面
５    ファイル外面
６    底辺の溶着部
７    マジックテープ表面
８    マジックテープ裏面
９    紙
【図１】
0003222257.tif 000003
【図２】
0003222257.tif 000004
【図３】
0003222257.tif 000005
【図４】
0003222257.tif 000006
【手続補正書】
【提出日】平成31年3月28日(2019.3.28)
【手続補正１】
【補正対象書類名】実用新案登録請求の範囲
【補正対象項目名】全文
【補正方法】変更
【補正の内容】
【実用新案登録請求の範囲】
【請求項１】
長方形の内面と前記内面よりも縦方向に５ｃｍ程度長い長方形の外面とからなり、前記内面と前記外面の底面を溶着した溶着部を設けることで、左右縦方向を開放することにより、紙を入れて丸めることを特徴とする丸めるファイル。
(57)【要約】      （修正有）【課題】ＱＲコードを読み取ることにより、使用者の詳しいプロフィールを閲覧できる名刺を提供する。【解決手段】スマホで読み取り可能な二次元バーコードが表面に印刷された名刺であって、二次元バーコードには、個人のプロフィールページにアクセスするためのＵＲＬが記録されている。プロフィールページを表示させる為のシステムを構築し、データベースを介してＩＤ・パスワードを入力しログインした使用者が入力編集したものを二次元バーコードを読み取った相手に表示し、使用者の詳しいプロフィールを閲覧できることで相手に人柄を伝えられる。【選択図】図３
0003222253.tif 000002
【実用新案登録請求の範囲】
【請求項１】
名刺に記載されているＱＲコードを読み取ることにより、
名刺だけでは表しきれないプロフィールをスマホで簡単に表示させるものである。
【考案の詳細な説明】
【技術分野】
【０００１】本考案は、名刺に記載されているＱＲコードを読み取ることにより、名刺だけでは表しきれない職歴・出身地・出身校・キャリア・趣味・好きな食べ物・お酒等をスマホで簡単に表示させるものである。使用者は指定ＵＲＬにログインして表示させる写真の入れ替え・プロフィール・コメント等の編集が自由に行えるものである。
【背景技術】
【０００２】名刺に記載されている情報以外を相手に伝える為には時間をかけて人間関係を築く必要があった。
【考案の概要】
【考案が解決しようとする課題】
【０００３】名刺には記載できる情報は限度があり、個人の特徴や趣味・趣向、又、担当している新商品のアピールまでは出来なかった。
【課題を解決するための手段】
【０００４】本考案は、名刺に記載されているＱＲコードを読み取ることにより、名刺だけでは表しきれない職歴・出身地・出身校・キャリア・趣味・好きな食べ物・お酒等をスマホで簡単に表示させるものである。使用者は指定ＵＲＬにログインして表示させる写真の入れ替え・プロフィール・コメント等の編集を専用ソフトやアプリを使用しなくても出来るクラウド型システムとして使用できるものとした。
【考案の効果】
【０００５】このシステムを使用して、名刺をもらった相手は、顔写真・特徴・趣味・趣向・出身地・出身校・キャリア・職歴などから使用者の人物像を知ることが出来る。
【図面の簡単な説明】
【０００６】
【図１】本考案のプロフィールページ表示用ＱＲコード掲載名刺の一実施例を示す正面図
【図２】本考案を表示したプロフィールページの一実施例を示す正面図
【図３】本考案のプロフィールページ編集画面を示す正面図
【考案を実施するための形態】
【０００７】以下本考案の一実施例の形態を示す図面に基づき説明する。
【０００８】図１に示す如く、プロフィールページのＵＲＬにアクセスできるＱＲコードを印刷した名刺。
【０００９】図２に示す如く、職歴・出身地・出身校・キャリア・趣味・好きな食べ物・お酒・コメント等を掲載。
【００１０】図３に示す如く、使用者は指定ＵＲＬにログインして職歴・出身地・出身校・キャリア・趣味・好きな食べ物・お酒・コメント等を入力・編集することができる。
【図１】
0003222253.tif 000003
【図２】
0003222253.tif 000004
【図３】
0003222253.tif 000005
【手続補正書】
【提出日】平成31年1月15日(2019.1.15)
【手続補正１】
【補正対象書類名】実用新案登録請求の範囲
【補正対象項目名】全文
【補正方法】変更
【補正の内容】
【実用新案登録請求の範囲】
【請求項１】
記載されているＱＲコードを読み取ることにより、名刺だけでは表しきれない個人のプロフィールをスマホで簡単に表示させる機能の付いた名刺。
【手続補正書】
【提出日】平成31年4月23日(2019.4.23)
【手続補正１】
【補正対象書類名】実用新案登録請求の範囲
【補正対象項目名】全文
【補正方法】変更
【補正の内容】
【実用新案登録請求の範囲】
【請求項１】
スマホで読み取り可能なＱＲコードが表面に印刷された名刺であって、前記ＱＲコードには、個人のプロフィールページにアクセスするためのＵＲＬが記録されていることを特徴とする名刺。
(57)【要約】      （修正有）【課題】温度が下がりにくくお茶の葉が捨てやすい新しいタイプのお茶こし器を提供する。【解決手段】網目を細かく造るステンレス製か細かい小さな丸穴をたくさん造る耐熱プラスチック製でその構成は円球形状に近く直経が４ｃｍ位で高さの４分の１．７がメスネジ式左開きで開く円球形状構造か楕円形状構造でひも部分は輪ゴム断面サイズの耐熱ゴム製で寸法は長さが楕円形で約１１ｃｍ位有り幅はせまい輪っかであり耐熱プラスチック製かステンレス製の２ｃｍ角の正方形等の取っ手と共に上記記載の輪っかをお茶こし器本体上部にある丸穴と取っ手の丸穴に２ヶ所共くくり通して先端を２ヶ所ひっぱりじめ止めする仕様で３点を組合せして対応する。【選択図】図１
0003222256.tif 000002
【実用新案登録請求の範囲】
【請求項１】
考案の対象となる物品は新しいタイプのお茶こし器でありその形状は円球形状に近く直経が４ｃｍ位で３分の１位がメスネジ右じめ左開きで開く形状で輪ゴムサイズの耐熱ゴム寸法で長さがだ円形状で約１１ｃｍ位の幅のせまい輪っかであり２ｃｍ角の正方形状の取っ手と共に上記記載の輪っかをお茶こし器の丸穴を取っ手の丸穴に２ヶ所共くぐり通してその輪っかの２本の穴にくぐり通してひっぱりしめ止めする形状を特徴とする新しいタイプのお茶こし器。
【請求項２】
構造は［図面１］［図面２］の「１ａ」「１ａ」２「２ａ」［図面３］「３ａ」［図面４］「４ａ」１「４ａ」２の［書類名］図面［図１］内に記載されている通りの特徴を有しているとする新しいタイプのお茶こし器。
【考案の詳細な説明】
【考案の詳細な説明】
【０００１】少々大きめのお茶の葉の販売している袋できゅうすに直接入れると大量に入ったりするので私の発案したお茶こし器だとお茶の葉の節約になるきゅうすよりもお茶のこした後の葉を流し台の排水口のあみ部にあまりためにくいティーパックのお茶より経済的お茶を自由な濃さに飲めて永く考えれば得と感じる  もちろん紅葉茶等葉茶系なら何でも使える。
【図面の簡単な説明】
【０００２】
【図１】お茶こし器の「平面図」のネジ巻きじめをした図と説明で有ります。
【図２】お茶こし器の「平面図」の上部下部を見やすくした図と説明で有ります。
【図３】お茶こし器と［図面４］の取っ手をつなげる為のゴムひもの図と説明で有ります。「斜視図」
【図４】お茶こし器の取っ手の「斜視図」と説明を表わした図等で有ります。
【符号の説明】
【０００３】１［書類名］図面の［図面１］［図面２］［図面３］［図面４］内に図の主要な部分を表す符号の説明を記載済。
【図１】
0003222256.tif 000003
【図２】
0003222256.tif 000004
【図３】
0003222256.tif 000005
【図４】
0003222256.tif 000006
【手続補正書】
【提出日】平成31年4月24日(2019.4.24)
【手続補正１】
【補正対象書類名】実用新案登録請求の範囲
【補正対象項目名】全文
【補正方法】変更
【補正の内容】
【実用新案登録請求の範囲】
【請求項１】
考案の対象となる物品は新しいタイプのお茶こし器であり網目を細かく造るステンレス製か細かい小さな丸穴をたくさん造る耐熱プラスチック製でその構成は円球形状に近く直経が４ｃｍ位で高さの４分の１．７がメスネジ式左開きで開く円球形状構造か楕円形状構造でひも部分は輪ゴム断面サイズの耐熱ゴム製で寸法は長さが楕円形で約１１ｃｍ位有り幅はせまい輪っかであり耐熱プラスチック製かステンレス製の２ｃｍ角の正方形等の取っ手と共に上記記載の輪っかをお茶こし器本体上部にある丸穴と取っ手の丸穴に２ヶ所共くくり通して先端を２ヶ所ひっぱりじめ止めする仕様で３点を組合せして対応する特別な技術的特徴を有している構成を特徴とする温度が下がりにくくお茶の葉が捨てやすい新しいタイプのお茶こし器。
(57)【要約】      （修正有）【課題】軽量鉄骨ハウスにおける、外壁固定に必要な固定具を備えた金物を提供する。【解決手段】鋼管で造る軽量鉄骨ハウス本体の柱や屋根に、被覆材を留めるための桟を鋼管とは直角方向に仮置き固定できるように、１か所以上のフック係合部を有する突起部と１か所以上の桟を受ける突起部を形成するくさび式金物を、鋼管の連結や結合構成部材の一部として組合せたことを特徴とする軽量鉄骨ハウスの桟固定具。【選択図】図６
0003222254.tif 000002
【実用新案登録請求の範囲】
【請求項１】
鋼管で作る軽量鉄骨ハウス本体の柱や屋根の連結また結合構成部材に、被覆材を留めるための桟を仮置きできるように、２か所以上の突起部を有するくさび式金物を含める。（図１はフック形状を１か所以上含む係合部（ａ，ｂ）の例）
【考案の詳細な説明】
【技術分野】
【０００１】    本考案は、図６のような軽量鉄骨ハウスにおける、外壁固定に必要な桟の固定具を備えた金物に関するものである。
【背景技術】
【０００２】    従来から、軽量鉄骨（以下パイプと呼ぶ）ハウスや重量鉄骨ハウスの外壁固定は一般的に通称リップ溝形鋼（以下Ｃ形鋼と呼ぶ）を、柱、梁にねじや溶接されたアングル状（以下係合部と呼ぶ）のものに固定していた。これは、組み付ける上で寸法精度が必要となりアングルのほとんどは、事前に工場で加工組み付けして、現地に運んでいる。
【考案の概要】
【０００３】    図４、図５は併設のパイプを連結構成部材で結合させた２例であり、桟の係合部を有するくさびを、連結又結合構成部材に採用するものである。
【考案の効果】
【０００４】    上述のように、本考案の連結構成部材は、現地にて一般消費者が自身で安全にまた、特殊工具を必要としない組み方が可能になる。また、この形状は、仮組ができて、締結材による本締めの場合に寸法の精度を上げるための微調整が可能である。また桟の係合部を有するくさびは、単独で桟を固定する金物としての利用もできる。
【図面の簡単な説明】
【０００５】
【図１】から
【図３】は本考案で桟の係合部を形成する例の図である。
【図４】
【図５】は、本考案の組み立てで必要な連結構成材の例の図である。
【図６】は、軽量鉄骨ハウスの梁間構造体の例です。
【図１】
0003222254.tif 000003
【図２】
0003222254.tif 000004
【図３】
0003222254.tif 000005
【図４】
0003222254.tif 000006
【図５】
0003222254.tif 000007
【図６】
0003222254.tif 000008
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
鋼管で造る軽量鉄骨ハウス本体の柱や屋根に、被覆材を留めるための桟を仮置きできるように、２か所以上の突起部（図１のａとｂ）を有し、そのうち１か所以上がフック形状の係合部であるくさび式金物を、鋼管の連結や結合構成部材の一部として組合せたことを特徴とする軽量鉄骨ハウスの桟固定具
【手続補正書】
【提出日】令和1年5月7日(2019.5.7)
【手続補正１】
【補正対象書類名】実用新案登録請求の範囲
【補正対象項目名】全文
【補正方法】変更
【補正の内容】
【実用新案登録請求の範囲】
【請求項１】
鋼管で造る軽量鉄骨ハウス本体の柱や屋根に、被覆材を留めるための桟を鋼管とは直角方向に仮置き固定できるように、１か所以上のフック係合部を有する突起部と１か所以上の桟を受ける突起部を形成するくさび式金物を、鋼管の連結や結合構成部材の一部として組合せたことを特徴とする軽量鉄骨ハウスの桟固定具
(57)【要約】      （修正有）【課題】ルアーのアイに、後付けでブレードなどを簡単に取り付けることができるチューニングパーツを提供する。【解決手段】釣具のルアのアイに通してブレードを取り付ける輪とスナップからなる。【選択図】図１
0003222258.tif 000002
【実用新案登録請求の範囲】
【請求項１】
釣具のルアーのチューニングパーツ
【考案の詳細な説明】
【技術分野】
【０００１】
釣具
【考案の概要】
【考案が解決しようとする課題】
【０００２】
ルアーのアイ(糸を結びつける部分）図2に、後付けでブレードなどを簡単に取り付けるための方法
【課題を解決するための手段】
【０００３】
ルアー(擬似餌）のアイ（釣り糸を結ぶところ図2）に、図１のようにワイヤーなど強度のある材料でアイに見合った大きさに作った輪をアイに通して、スナップ（図３）で固定する
【考案の効果】
【０００４】
ブレードなど、魚にアピールするモノを取り付けることにより、集魚効果が上がり釣果の向上につながる
【図面の簡単な説明】
【０００５】
【図１】プラスブレードの接続部分の拡大図、および本体の一例
【図２】いろいろなルアーのアイ(糸を結びつける部分）
【図３】ルアーの接続に用いられるスナップの一例
【図４】プラスブレードの装着例
【考案を実施するための形態】
【０００６】
釣り糸を結ぶアイ（図2）があれば、そのアイにプラスブレード（図1）の穴に通しスナップ（図3）を用い装着することができます
【実施例】
【０００７】
図４のように、スピナーベイトはもちろん、様々なルアーに装着することができます
【産業上の利用可能性】
【０００８】
釣具、ルアーに装着することにより、集魚効果がアップし、より釣りを楽しんでいただくことができ、いろんなメーカーのルアーに取り付けられるので、販売の相乗効果が期待できる
【図１】
0003222258.tif 000003
【図２】
0003222258.tif 000004
【図３】
0003222258.tif 000005
【図４】
0003222258.tif 000006
【手続補正書】
【提出日】令和1年5月15日(2019.5.15)
【手続補正１】
【補正対象書類名】実用新案登録請求の範囲
【補正対象項目名】請求項１
【補正方法】変更
【補正の内容】
【請求項１】
釣具のルアーのアイに通してブレードを取り付ける輪とスナップからなるチューニングパーツ。
(57)【要約】      （修正有）【課題】伸張・収縮できる空気入り袋体を内包した飾り体を一体に備えた新規のリュックサックを提供する。【解決手段】ショルダーベルトに内包させた手動式のポンプを介して送入・排気することにより伸張・収縮できる空気入り袋体を軟質合成樹脂フイルムを以て構成し、この袋体を内包した飾り体をリュックサック本体の適宜個所の外側に配すると共にこれ等飾り体、リュックサック本体の相互に対応する位置に止着して成るものである。【選択図】図２
0003222223.tif 000002
【実用新案登録請求の範囲】
【請求項１】
ショルダーベルトに内包させた手動式ポンプを介して送入・排気することにより伸張・収縮できる空気入り袋体を軟質合成樹脂フイルムを以て構成し、この袋体を内包した飾り体をリュックサック本体の適宜個所の外側に配すると共にこれ等飾り体、本体の相互に対応する位置に止着して成るリュックサック。
【考案の詳細な説明】
【技術分野】
【０００１】
本考案は、送排気により伸張・収縮可能な合成樹脂フィルムからなる袋体を内包した飾り体を一体に備えたリュックサックに関するものである。
【背景技術】
【０００２】
従来知られているリュックサックは、印刷模様、刺繍、切抜片の縫付（貼付）等の平面的模様を設けた形式、縫包を止着した立体的飾りを設けた形式のもののみであって、これ等形式は、平面的模様および立体的飾りの色を変えたり、形を変えたり、大きさを変えたりする等の工夫を施すことによって独創性および斬新性を出すようにされて来たが、最近では必ずしも充分に顕著な独創性・斬新性を表出しなくなってきていて、いずれもマンネリ化を払拭し切れない状態になっているとしか言いようのないもののみであった。特に後者は、中綿がある分だけ重たさがあって好ましくないものであった。  
【考案の概要】
【考案が解決しようとする課題】
【０００３】
そこで、本考案は上記現実に鑑み、充分に顕著な独創性および斬新性を表出し
てマンネリ化を払拭する工夫およびその他の工夫を施した新規のリュックサックを提供することを目的とする。
【課題を解決するための手段】
【０００４】
上記目的を達成するために本考案に係るリュックサックは、ショルダーベルトに内包させた手動式ポンプを介して送入・排気することにより伸張・収縮できる袋体を軟質合成樹脂フイルムを以て構成し、この袋体を内包した飾り体をリュックサック本体の適宜個所の外側に配すると共にこれ等飾り体、リュックサック本体の相互に対応する位置に止着して成るものである。
【考案の効果】
【０００５】
本考案に係るリュックサックは、上記のようにショルダーベルトに内包させた手動式ポンプを介して送入・排気することにより伸張・収縮できる袋体を軟質合成樹脂フイルムを以て構成し、この袋体を内包した飾り体をリュックサック本体の適宜個所の外側に配すると共にこれ等飾り体、リュックサック本体の相互に対応する位置に止着して成るものであって、飾り体は中綿の無い軽いものであり、例えば飾り体が動物の耳を模したものであれば、利用者は当該飾り体を任意に伸張させて耳が立った状態にし、また任意に収縮させて耳が寝た状態として遊んだりする等の使い方が可能なものであり、マンネリ化を払拭するという所期の目的を完全に達成できる著効を奏するものである。
【図面の簡単な説明】
【０００６】
【図１】図１は、本考案品のショルダーベルト側の画像である。
【図２】図２は、手動式ポンプをショルダーベルトに内包・固定している画像である。
【図３】図３は、手動式ポンプをショルダーベルトに内包・固定している画像である。
【図４】図４は、本商品のショルダーベルトと反対側の画像である。
【図５】図５は、図４の飾り体の内部に装着された袋体が伸張している画像である。
【図６】図６は、図４の飾り体の内部に装着された袋体が収縮している画像である。
【図７】図７は、動物の耳を模した飾り体が伸張している画像である。
【実施例１】
【０００７】
図１は、本考案品のショルダーベルト側の画像であって、図２と図３のように手動式ポンプをショルダーベルトに内包・固定している。
【０００８】
図４は、本商品のショルダーベルトと反対側の画像であって、平面的に印刷や刺繍がされるとともに、立体的な飾り体が止着され、動物の顔と耳を模している。
【０００９】
図４の飾り体の内部には、図２のポンプから管のつながった袋体が装着されており、伸張（図５）・収縮（図６）できる。
【００１０】
これにより図７のように、耳が動くという視覚効果が得られ、使用者のニーズを満たすことにおおいに役立つ。
【図１】
0003222223.tif 000003
【図２】
0003222223.tif 000004
【図３】
0003222223.tif 000005
【図４】
0003222223.tif 000006
【図５】
0003222223.tif 000007
【図６】
0003222223.tif 000008
【図７】
0003222223.tif 000009